【手続補正書】
【提出日】令和3年9月28日(2021.9.28)
【手続補正１】
【補正対象書類名】特許請求の範囲
【補正対象項目名】全文
【補正方法】変更
【補正の内容】
【特許請求の範囲】
【請求項１】
ロック構成である場合に、オーディオ作動信号を生成するように構成される遊園地乗物車両用拘束システムと、
スピーカ及びマイクを含むオーディオシステムと、
を備え、
前記オーディオシステムは、前記拘束システムの内部に配置され、前記オーディオ作動信号に応答して音声を前記スピーカを介して生成し、当該生成された音声を第１の音声形式から第２の音声形式に変更するように構成されるように構成される、システム。
【請求項２】
前記拘束システムは、ロック位置にある場合、乗物乗客を前記乗物車両にしっかり固定するために前記乗物車両上の乗物乗客に接触するように構成される、請求項１に記載のシステム。
【請求項３】
前記拘束システムは、２分割拘束システムであり、前記２分割拘束システムは、オーバーヘッドプルダウン拘束装置及びラップバー拘束装置を含み、前記オーバーヘッドプルダウン拘束装置は、前記スピーカ及び前記マイクを含み、前記ラップバー拘束装置は、追加のスピーカを含む、請求項２に記載のシステム。
【請求項４】
前記スピーカ及び前記追加のスピーカは、集合的に前記音声を生じるように構成され、前記音声は、別の乗物車両の別のオーディオシステムから受け取る、請求項３に記載のシステム。
【請求項５】
前記乗物車両とは別の追加の乗物車両と、
前記追加の乗物車両の、追加のスピーカ及び追加のマイクを含む追加のオーディオシステムと、
を備え、
前記マイク及び前記追加のマイクは、前記オーディオシステムのユーザーと前記追加のオーディオシステムのユーザーとの間の通信を容易にするために、それぞれ、オーディオデータを受け取って、前記オーディオデータを前記追加のスピーカ及び前記スピーカに送るように構成される、請求項１に記載のシステム。
【請求項６】
前記オーディオシステムは、ユーザー入力を受け取るように構成されたユーザーインターフェースを備え、前記スピーカ又は前記マイクは、前記受け取ったユーザー入力に応答して作動される又は停止されるように構成される、請求項１に記載のシステム。
【請求項７】
前記乗物車両から離れ、前記スピーカを備えた乗物から隔たった特徴部からの音と連係させるように構成された制御システムを備える、請求項１に記載のシステム。
【請求項８】
前記オーディオシステムは、遊園地特徴部又は乗物特徴部に通信可能に接続され、前記遊園地特徴部又は乗物特徴部との通信に応答して前記音声を生成するように構成される、請求項１に記載のシステム。
【請求項９】
前記オーディオシステムは、有線接続部によって電源に接続され、前記有線接続部は、前記拘束システムのピボット結合部でブラシに接触する、請求項１に記載のシステム。
【請求項１０】
第１の乗物車両に関連した第１の拘束システムの内部に配置された第１のオーディオシステムと、
前記第１のオーディオシステムの第１のスピーカと、
前記第１のオーディオシステムの第１のマイクと、
第２の乗物車両に関連した第２の拘束システムの内部に配置された第２のオーディオシステムであって、前記第１のオーディオシステム及び前記第２のオーディオシステムがオーディオデータを送ることを容易にするためにその間で互いに通信可能に接続される、第２のオーディオシステムと、
前記第２のオーディオシステムの第２のスピーカと、
前記第２のオーディオシステムの第２のマイクと、
を備え、  前記第１のオーディオシステム及び前記第２のオーディオシステムは、それぞれの制御システムに通信可能に接続するように構成されたそれぞれの回路を含み、前記それぞれの制御システムの各々は、前記それぞれの制御システムのメモリに記憶された命令を実行するように構成されたプロセッサを含み、
前記第１の拘束システム及び前記第２の拘束システムの各々は、それぞれの結合部の周りで枢転するように構成され、前記それぞれの結合部の各々は、前記それぞれの拘束システムが枢転回転する間に前記それぞれの回路に継続的に接触するように構成された電気ブラシを含む、記載の乗物システム。
【請求項１１】
前記それぞれの制御システムは、前記第１のマイク及び前記第２のマイクのそれぞれに音声入力を受け取らせて、前記第１のスピーカ及び前記第２のスピーカのそれぞれにオーディオ出力を生じさせるように構成される、請求項１０に記載の乗物システム。
【請求項１２】
前記第１のオーディオシステムの第１のユーザーインターフェースを備え、前記第１のユーザーインターフェースは、前記第１のスピーカ及び前記第１のマイクを制御するように構成される、請求項１０に記載の乗物システム。
【請求項１３】
遊園地の乗物車両のための拘束システム及びスピーカ及びマイクを含むオーディオシステムを操作するための方法であって、前記オーディオシステムは前記拘束システム内に配置され、オーディオ作動信号に応答して前記スピーカを介して音声を生成するように構成され、前記乗物車両は第２の乗物車両及び乗物から離間した特徴部と通信可能に接続され、前記方法は、
前記拘束システムを退避させるステップであって、前記拘束システムを退避させるステップは、前記拘束システムをアンロック位置に移動させるステップを含み、前記乗物車両は、前記拘束システムが前記アンロック位置にある場合に乗物乗客を収容するように構成される、ステップと、
プロセッサによって、前記拘束システムがロック位置にあるか否かを判定するステップと、
前記拘束システムが前記ロック位置にあるか又は前記アンロック位置にあるかに基づいて、前記乗物車両に関連したスピーカを含むオーディオシステムを制御するステップであって、前記オーディオシステムを制御するステップは、前記第２の乗物車両又は前記乗物から離間した特徴部から受け取った音声を前記スピーカを介して生成することによって前記オーディオシステムを作動させるステップを含む、ステップと、
を含む、方法。
【請求項１４】
前記オーディオシステムは、ユーザーインターフェース及び複数スピーカを備える、請求項１３に記載の方法。
【請求項１５】
遊園地の乗物車両のための拘束システムであって、当該拘束システムがロック位置にある場合、当該拘束システムは前記乗物車両上の乗物乗客に接触して当該乗物乗客を前記乗物車両に固定するように構成され、
スピーカ及びマイクを備えるオーバーヘッドプルダウン拘束装置と、
追加のスピーカを備えるラップバー拘束装置と、
を備える拘束システムと、
前記拘束システム内に配置されたオーディオシステムであって、別の乗物車両の別のオーディオシステムからのオーディオ作動信号に応答して、前記スピーカ及び前記追加のスピーカを介して音声を生成するように構成された、オーディオシステムと、
を備える、システム。
【請求項１６】
遊園地の乗物車両組立体のための拘束システムであって、
第１のスピーカ及び第１のマイクを備える第１のオーディオシステムを備える第１の拘束装置であって、前記第１のオーディオシステムは前記拘束装置内に固定され、埋め込まれている、第１の拘束装置と、
第２のスピーカ及び第２のマイクを備える第２のオーディオシステムを備える第２の拘束装置であって、前記第２のオーディオシステムは前記拘束装置内に固定され、埋め込まれている、第２の拘束装置と、
を備え、
前記第１のオーディオシステム及び前記第２のオーディオシステムは、前記第１及び前記第２の拘束装置がロック構成にあることに応答して、それぞれが、通信接続を介して他方との通信を確立して、前記第１及び前記第２のオーディオシステムを介して、前記第１の拘束装置及び前記第２の拘束装置の間の通信を可能とするように構成されている、
拘束システム。
【請求項１７】
前記第１の拘束装置は、第１の乗物乗客を第１の乗物車両に固定するように構成され、前記第２の拘束装置は、第２の乗物乗客を第２の乗物車両に固定するように構成される、請求項１６に記載の拘束システム。
【請求項１８】
前記第１のオーディオシステム及び前記第２のオーディオシステムは乗物から離間した特徴部に通信可能に接続される、請求項１６に記載の拘束システム。
【請求項１９】
前記第１のスピーカ及び前記第２のスピーカは、前記第１のスピーカ及び前記第２のスピーカは前記乗物から離間した特徴部からのオーディオ作動信号を受信することに応答して、音声を生成するように構成される、請求項１８に記載の拘束システム。